(57)【要約】【課題】本願発明は主、副鎖錠かん０１，０２を鎖錠かん継手０３に取付けるにあたり、鎖錠かん継手用ボルト１０の構造に改良を加え、ナット２０で締付ける場合に共廻りせず、所定に締付けトルクで簡単に取付け可能な電気転轍機用鎖錠かん００を提供することを目的とする。【解決手段】電気転轍機用鎖錠かん００であって、鎖錠かん継手用ボルト１０のねじ部１１の一端に皿状頭部１３を、他端端面に溝部１５、または他端の先端近傍の柱状部両側に平行状にカットされた面取部１６を設けてマイナスドライバー、又はスパナー等の保持部を形成し、　主、副鎖錠かん０１，０２を鎖錠かん継手０３に取付けるにあたり、ナット２０で締付ける場合に、共廻りを惹起せず、所定に締付けトルクで簡単に取付け可能な電気転轍機用鎖錠かん００　である。【選択図】　　　　　図１
2004017783.tif 000002
【特許請求の範囲】
【請求項１】
主鎖錠かん（０１）と、副鎖錠かん（０２）と、鎖錠かん継手（０３）と、鎖錠かん継手用ボルト・ナット（３０）から構成される電気転轍機の鎖錠かん（００）であって、
主鎖錠かん（０１）は、鎖錠かん継手（０３）を鎖錠かん継手用ボルト・ナット（３０）によって固定し、
副鎖錠かん（０２）は、主鎖錠かん（０１）を介して鎖錠かん継手（０３）に鎖錠かん継手用ボルト・ナット（３０）にって固定し、
主鎖錠かん（０１）に鎖錠かん継手（０３）を固定する鎖錠かん継手用ボルト（１０）のねじ部（１１）の一方の先端には枕頭式の皿状頭部（１３）を有し、他方の先端には、端面に溝（１５）、又は先端近傍の柱状部両側に平行状にカットされた面取部（１６）を形成してなる
電気転轍機の鎖錠かん。
【請求項２】
鎖錠かん継手用ボルト（１０）は、ねじ部（１１）の一方の先端には、枕頭式の皿状頭部（１３）を形成し、他方の先端には、端面に溝（１５）、又は先端近傍の柱状部両側に平行状にカットされた面取部（１６）を形成してなる
鎖錠かん継手用ボルト。
【発明の詳細な説明】
【０００１】
【発明が属する技術分野】
本願発明は電気転轍機の技術分野に属し、特に電気転轍機の鎖錠かん及び鎖錠かん継手用皿ボルトの技術に属する。
【０００２】
【従来の技術】
図２は従来の電気転轍機の鎖錠かん００の要部斜視図を示す。ａは一方向から見たもので、ｂはその反対側から見たものである。０１は主鎖錠かん、０２は　副鎖錠かん、０３は鎖錠かん継手、３０は鎖錠かん継手用ボルト・ナットである。
【０００３】
ここで主鎖錠かん０１は鎖錠かん継手０３を鎖錠かん継手用ボルト・ナット３０で固定し（Ａ，Ｂ位置参照）、副鎖錠かん０２は、この主鎖錠かん０１を介して、同様に他の鎖錠かん継手用ボルト・ナット３０により鎖錠かん継手０３を固定している（Ｄ位置参照）。ここでＣ位置はボルト孔のみ示してある。
ところで、副鎖錠かん０２は、主鎖錠かん０１に鎖錠かん継手０３を固定しているため、主鎖錠かん０１に鎖錠かん継手０３を固定する鎖錠かん継手用ボルト１０は、その頭部が枕頭式の皿状１３に形成され（後述の図８参照）、それによりその端面が主鎖錠かん０１の面と面一にされているものであり、その端面には溝１５が形成されている。
【０００４】
現場における主鎖錠かん継手０３の取付け、再取付に当たっては、鎖錠かん継手用ボルト１０はＡ、Ｂ位置においては、頭部１３の溝１５にマイナスドライバー等を用いて固定し、反対側からナットを螺入し、スパナ等により締め付けて所定に締付けトルクを得るようにされている。
【０００５】
また副鎖錠かん０２の取付け、再取付に当たっては、その鎖錠かん継手用ボルト１０はＤ位置においては、通常の６角形頭部のものが用いられる。
そして主鎖錠かん０１を介して鎖錠かん継手０３を、ナットを螺入し２丁のスパナ等により締付けて取付けることができる。
【０００６】
しかしながらここで主、副鎖錠かん０１、０２の取付けは、非常にやり難くいものであり、作業性が悪いものであった。
また鎖錠かん継手０３の交換に当たっては、調整ナットＥの調整状態を崩して副鎖錠かん０２を大幅に右方にずらせ、主鎖錠かん０１を取付けるＡ位置の鎖錠かん継手用ボルト１０の皿状頭部１３の溝１５を露出させる必要があるからである。
【０００７】
従って鎖錠かん００の取付け、再取付けに当たっては、主鎖錠かん０１のロック調整だけではなく、副鎖錠かん０２のロック再調整を実施する必要のある精密作業であるため、多大な時間を浪費するといった問題点がある。
何となれば、Ａ、Ｂ位置の鎖錠かん継手用ボルト１０の皿状頭部１３の溝１５をマイナスドライバーで固定し、反対側から鎖錠かん継手用ナット２０を螺入してスパナ等により締付けると、所定に締付けトルクが得られないうちに、溝１５が破損されてしまうケースが多く、それ以上の締付けは無理となるからである。スパナ等により単独で締付けると共廻りを起こし易く、更に割ピン用孔１４にピン状のもの挿入して固定用としても、所定に締付けトルクが得られ難く、また作業性も悪いものである等の多々の問題点を有していた。
【０００８】
【発明が解決しようとする課題】
本願発明は鎖錠かん継手用ボルト１０の構造に改良を加え、簡単に取付け、再取付け可能な電気転轍機の鎖錠かん００及び鎖錠かん継手用ボルト１０を提供することを目的とする。
【０００９】
【課題を解決するための手段】
本願発明の第１のものは、
主鎖錠かん０１と、副鎖錠かん０２と、鎖錠かん継手０３と、鎖錠かん継手用ボルト１０・ナット２０から構成される電気転轍機の鎖錠かん００であり、
主鎖錠かん０１は、鎖錠かん継手０３を鎖錠かん継手用ボルト・ナット３０によって固定し、
副鎖錠かん０２は、主鎖錠かん０１を介して鎖錠かん継手０３を鎖錠かん継手用ボルト・ナット３０によって固定し、
主鎖錠かん０１に鎖錠かん継手０３を固定する鎖錠かん継手用ボルト１０は、ねじ部１１の一方の先端には枕頭式の皿状頭部１３を有し、他方の先端には、端面に溝１５、又は先端近傍の柱状部両側に平行状にカットされた面取部１６を形成してなる電気転轍機の鎖錠かん００である。
【００１０】
本願発明の第２のものは、
鎖錠かん継手用ボルト１０は、ねじ部１１の一方の先端には枕頭式の皿状頭部１３が形成され、他方の先端には端面に溝１５、又は先端近傍の柱状部両側に平行状にカットされた面取部１６を形成してなる鎖錠かん継手用ボルト１０である。
【００１１】
【発明の実施の形態】
図１は、本願発明の電気転轍機の鎖錠かん００の要部斜視図を示す。ａは一方向から見たもので、ｂはその反対側から見たものである。図２は従来の電気転轍機の鎖錠かん００の要部斜視図を示し、ａ，ｂは図１と同じである。
ここで０１は主鎖錠かん、０２は　副鎖錠かん、０３は鎖錠かん継手、１２は鎖錠かん継手用ボルト頭部、３０は鎖錠かん継手用ボルト・ナット、４０は割ピンである。
【００１２】
主鎖錠かん０１は、鎖錠かん継手０３を鎖錠かん継手用ボルト・ナット３０で固定し（Ａ，Ｂ位置参照）、副鎖錠かん０２はこの主鎖錠かん０１を介して、同様に他の鎖錠かん継手用ボルト・ナット３０により鎖錠かん継手０３を固定している（Ｄ位置参照）。Ｃ位置はボルト孔のみ示してある。
【００１３】
ところで、主鎖錠かん０１に鎖錠かん継手０３を固定する鎖錠かん継手用ボルト１０は、副鎖錠かん０２が主鎖錠かん０１を介して鎖錠かん継手０３を固定しているので、頭部が枕頭式の皿状頭部１３に形成され、それによりその皿状頭部１３の端面が主鎖錠かん０１の面と面一にされている。
副鎖錠かん０２固定する他の鎖錠かん継手用ボルト１０の頭部１２は通常の６角状である。
【００１４】
図２ｂにおいて、見えないところは破線で示してある。
図３は、電気転轍機の鎖錠かん００の全体の斜視図で、一方向から見たものであり、図４は、その反対側から見た斜視図である。ここで副鎖錠かん０２は主鎖錠かん０１に対し密接され、調整ナットＥにより相対位置が調整されるようにされている。
【００１５】
図５、図６、図７は、本願発明の鎖錠かん継手用ボルト１０の、図８は、従来の鎖錠かん継手用ボルト１０の斜視図である。
ここで１１は鎖錠かん継手用ボルトのねじ部、１３は鎖錠かん継手用ボルト皿状頭部、１４は割ピン用孔、１５は溝、１６は面取部、２０は鎖錠かん継手用ナットである。
【００１６】
本願第１の発明である電気転轍機の鎖錠かん００は、以下の如く、本願の第２の発明である各種鎖錠かん継手用ボルト１０を用いて、主鎖錠かん０１及び副鎖錠かん０２に鎖錠かん継手０３を取付けたものである。
本願発明の第２のものにおいては、Ａ，Ｂ位置における鎖錠かん継手用ボルト１０の１実施例は、図５に示す如く、ねじ部１１の一方端には枕頭式の皿状頭部１３が形成され、他方端には端面に溝１５が形成されているものである。
【００１７】
他の実施例においては、図６の如く、同じく他方端の先端近傍の柱状部両側に平行状にカットされた面取部１６を形成してある。このケースではねじ山を削り落として径小にした柱状部に面取部１６を形成してある。ねじ山を残したまま面取部１６を形成しても良い。
【００１８】
図７は、更に他の実施例であり、溝１５と面取部１６が両方が設けられている。
これに対して図８は従来の鎖錠かん継手用ボルト１０であり、溝１５が皿状頭部１３に形成されている。ここでは皿状頭部１３は薄いので、構造上溝１５は深いものが形成できない。
【００１９】
ここで再び図１に戻り、本願発明の電気転轍機の鎖錠かん００　の取付けを説明する。
主鎖錠かん０１に鎖錠かん継手０３を取付けるに当たり、Ａ，Ｂ位置においては、ねじ部１１の一端に皿状頭部１３、他端に面取部１６を形成した図６の如き、本願発明の鎖錠かん継手用ボルト１０を使用する。
【００２０】
その面取部１６は、スパナー等で固定しても破損されることがなく、確実に固定可能なので、ナット２０を挿入してスパナー等で締付けたとしても、共廻りが生起せず、所定に締付けトルクで締付けることができる。
端面に溝１５を形成した図５のものにあっては、マイナスドライバーを使用できるものであるが、この溝１５は皿状頭部１３に形成したものとは異なり、深い溝が形成できるので簡単には破損せず、しっかり保持して所望の締付け圧が確保できる。
【００２１】
図７の如く、溝１５、面取部１６の両者を備えたものを使用しても良いことは明らかである。
また副鎖錠かん０２は、Ｄ位置に置いて、通常の６角頭部１２を有する鎖錠かん継手用ボルト・ナット３０を使用して取付けが可能であり、通常の如く２丁のスパナーを用いて、所定に締付けトルクで取付けることができる。
【００２２】
【発明の効果】
本願の第１の発明にあっては、転轍機用鎖錠かん００であって、鎖錠かん継手用ボルト１０のねじ部１１の一方端に皿状頭部１３を形成し、他方端の端面に溝部１５、又は他方端の先端近傍の柱状部両側に平行状にカットされた面取部１６を形成したものを使用するので、主、副鎖錠かん０１，０２を鎖錠かん継手０３への取付け、再取付けに当たり、共廻りせずに、所定に締付けトルクでしっかり締付け可能であり、精密作業にもかかわらず、短時間で作業で行うことができるものである。
【００２３】
本願第２の発明は、鎖錠かん継手用ボルト１０において、ねじ部１１の一方端に皿状頭部１３を形成しているにもかかわらず、他方端の端面に溝部１５、又は他方端の先端近傍の柱状部両側に平行状にカットされた面取部１６を形成しており、溝部１５は深い強固な溝が形成可能であるから、マイナスドライバー、又はスパナー等でしっかりした保持が可能であり、破損する機会が少ないので共廻りを惹起することもなく、主、副鎖錠かん０１，０２の鎖錠かん継手０３への取付けにおいて、強固な所定に締付けトルクで締め付けることが可能である。
溝部１５と面取部１６の両者を備えたものでは、万が一いずれかが破損した場合でも他方により締付けが可能であり、予備部品を過度にキープする必要がない。
【図面の簡単な説明】
【図１】本願の電気転轍機の鎖錠かん００の要部斜視図である。ａは一方向から見たもので、ｂはその反対側から見たものである。
【図２】従来の電気転轍機の鎖錠かん００の要部斜視図である。ａ，ｂは図１と同様である。
【図３】電気転轍機の鎖錠かん００の全体の斜視図で、一方向から見たもの。
【図４】図３の電気転轍機の鎖錠かん００で、その反対側から見た斜視図である。
【図５】本願の鎖錠かん継手用ボルト１０の一実施例の斜視図である。
【図６】本願の鎖錠かん継手用ボルト１０の他の実施例の斜視図である。
【図７】本願の鎖錠かん継手用ボルト１０の更に他の実施例の斜視図である。
【図８】従来の鎖錠かん継手用ボルト１０の斜視図である。
【符号の説明】
００　　・・・電気転轍機の鎖錠かん
０１　　・・・主鎖錠かん
０２　・・・副鎖錠かん
０３　・・・鎖錠かん継手
１０　　・・・鎖錠かん継手用ボルト
１１　・・・鎖錠かん継手用ボルトねじ部
１２　・・・鎖錠かん継手用ボルト頭部
１３　・・・鎖錠かん継手用ボルト皿状頭部
１４　・・・割ピン用孔
１５　・・・溝
１６　・・・面取部
２０　・・・鎖錠かん継手用ナット
３０　　・・・鎖錠かん継手用ボルト・ナット
４０　・・・割ピン
【図１】
2004017783.tif 000003
【図２】
2004017783.tif 000004
【図３】
2004017783.tif 000005
【図４】
2004017783.tif 000006
【図５】
2004017783.tif 000007
【図６】
2004017783.tif 000008
【図７】
2004017783.tif 000009
【図８】
2004017783.tif 000010